(57)【要約】  ワイヤレス通信デバイスによるセル再選択のための方法について説明する。本方法は、アイドルモードのサービングセルに居座ることを含む。ネイバーセルが検出される。サービングセルについてのサービングセルランクが計算される。マルチメディアブロードキャストマルチキャストサービスメトリックに基づいて、ネイバーセルについてのネイバーセルランクが計算される。サービングセルランクとネイバーセルランクとに基づいて、セル再選択が判断される。【選択図】図４
2015503883.tif 000002
【特許請求の範囲】
【請求項１】
アイドルモードのサービングセルに居座るための手段と、
ネイバーセルを検出するための手段と、
前記サービングセルについてのサービングセルランクを計算するための手段と、
マルチメディアブロードキャストマルチキャストサービスメトリックに基づいて前記ネイバーセルについてのネイバーセルランクを計算するための手段と、
前記サービングセルランクと前記ネイバーセルランクとに基づいてセル再選択を判断するための手段と
を備える、ワイヤレス通信デバイス。
【請求項２】
前記ネイバーセルランクが前記サービングセルランクよりも大きい場合、前記ネイバーセルを再選択するための手段をさらに備える、
請求項１に記載のワイヤレス通信デバイス。
【請求項３】
前記サービングセルランクが前記ネイバーセルランクよりも大きい場合、前記サービングセルに居座り続けるための手段をさらに備える、
請求項１に記載のワイヤレス通信デバイス。
【請求項４】
前記ネイバーセルランクを前記計算するための手段は、
前記サービングセルを介して１つまたは複数の発展型マルチキャストブロードキャストマルチメディアサービスサービスを受信するための手段と、
前記サービングセルのテンポラリモバイルグループ識別情報の数を判断するための手段と、
前記ネイバーセルのテンポラリモバイルグループ識別情報の数を判断するための手段と、
前記サービングセルの前記テンポラリモバイルグループ識別情報の数と前記ネイバーセルの前記テンポラリモバイルグループ識別情報の数とに基づいて前記ネイバーセルランクを計算するための手段と
備え、前記サービングセルの前記テンポラリモバイルグループ識別情報の数と前記ネイバーセルの前記テンポラリモバイルグループ識別情報の数とは、マルチメディアブロードキャストマルチキャストサービスメトリックである、
請求項１に記載のワイヤレス通信デバイス。
【請求項５】
前記ネイバーセルランクは、前記サービングセルの前記テンポラリモバイルグループ識別情報の数と前記ネイバーセルの前記テンポラリモバイルグループ識別情報の数との間の差のペナルティ関数を使用して計算される、
請求項４に記載のワイヤレス通信デバイス。
【請求項６】
前記ネイバーセルランクは、ネイバーセル信号からオフセット値と前記ペナルティ関数とを引いたものである、
請求項５に記載のワイヤレス通信デバイス。
【請求項７】
前記ネイバーセルランクを前記計算するための手段は、
前記サービングセルを介して１つまたは複数の発展型マルチキャストブロードキャストマルチメディアサービスサービスを受信するための手段と、
前記サービングセルのマルチメディアブロードキャストオーバ単一周波数ネットワークエリアの数を判断するための手段と、
前記ネイバーセルのマルチメディアブロードキャストオーバ単一周波数ネットワークエリアの数を判断するための手段と、
前記サービングセルの前記マルチメディアブロードキャストオーバ単一周波数ネットワークエリアの数と前記ネイバーセルの前記マルチメディアブロードキャストオーバ単一周波数ネットワークエリアの数とに基づいて前記ネイバーセルランクを計算するための手段と
を備え、前記サービングセルの前記マルチメディアブロードキャストオーバ単一周波数ネットワークエリアの数と前記ネイバーセルの前記マルチメディアブロードキャストオーバ単一周波数ネットワークエリアの数とは、マルチメディアブロードキャストマルチキャストサービスメトリックである、
請求項１に記載のワイヤレス通信デバイス。
【請求項８】
前記ネイバーセルランクは、前記サービングセルの前記マルチメディアブロードキャストオーバ単一周波数ネットワークエリアの数と前記ネイバーセルの前記マルチメディアブロードキャストオーバ単一周波数ネットワークエリアの数との間の差のペナルティ関数を使用して計算される、
請求項７に記載のワイヤレス通信デバイス。
【請求項９】
前記ネイバーセルランクは、ネイバーセル信号からオフセット値と前記ペナルティ関数とを引いたものである、
請求項８に記載のワイヤレス通信デバイス。
【請求項１０】
前記ワイヤレス通信デバイスが発展型マルチキャストブロードキャストマルチメディアサービスを受信することに関心があると判断するための手段をさらに備え、前記サービングセルランクは、マルチメディアブロードキャストマルチキャストサービスメトリックに基づいてさらに計算され、前記サービングセルランクを前記計算するための手段は、
前記サービングセルによってアクティブにされているテンポラリモバイルグループ識別情報の数を判断するための手段と、
前記サービングセルによってアクティブにされている前記テンポラリモバイルグループ識別情報の数に基づいて前記サービングセルランクを計算するための手段と
を備え、前記ネイバーセルランクを前記計算するための手段は、
前記ネイバーセルによってアクティブにされているテンポラリモバイルグループ識別情報の数を判断するための手段と、
前記ネイバーセルによってアクティブにされている前記テンポラリモバイルグループ識別情報の数に基づいて前記ネイバーセルランクを計算するための手段と
を備え、前記サービングセルの前記テンポラリモバイルグループ識別情報の数と前記ネイバーセルの前記テンポラリモバイルグループ識別情報の数とがマルチメディアブロードキャストマルチキャストサービスメトリックである、
請求項１に記載のワイヤレス通信デバイス。
【請求項１１】
前記サービングセルランクは、前記サービングセルによってアクティブにされている前記テンポラリモバイルグループ識別情報の数の利得関数を使用して計算される、
請求項１０に記載のワイヤレス通信デバイス。
【請求項１２】
前記サービングセルランクは、サービングセル信号にヒステリシス値と、前記利得関数とを加えたものである、
請求項１１に記載のワイヤレス通信デバイス。
【請求項１３】
前記ネイバーセルランクは、前記ネイバーセルによってアクティブにされている前記テンポラリモバイルグループ識別情報の数の利得関数を使用して計算される、
請求項１０に記載のワイヤレス通信デバイス。
【請求項１４】
前記ネイバーセルランクは、ネイバーセル信号からオフセット値を引き、前記利得関数を加えたものである、
請求項１３に記載のワイヤレス通信デバイス。
【請求項１５】
前記ワイヤレス通信デバイスが発展型マルチキャストブロードキャストマルチメディアサービスを受信することに関心があると判断するための手段をさらに備え、前記サービングセルランクを前記計算するための手段は、
前記サービングセルによってアクティブにされているマルチメディアブロードキャストオーバ単一周波数ネットワークエリアの数を判断するための手段と、
前記サービングセルによってアクティブにされている前記マルチメディアブロードキャストオーバ単一周波数ネットワークエリアの数に基づいて前記サービングセルランクを計算するための手段と
を備え、前記ネイバーセルランクを前記計算するための手段は、
前記ネイバーセルによってアクティブにされているマルチメディアブロードキャストオーバ単一周波数ネットワークエリアの数を判断するための手段と、
前記ネイバーセルによってアクティブにされている前記マルチメディアブロードキャストオーバ単一周波数ネットワークエリアの数に基づいて前記ネイバーセルランクを計算するための手段と
を備える、請求項１に記載のワイヤレス通信デバイス。
【請求項１６】
前記サービングセルランクは、前記サービングセルによってアクティブにされている前記マルチメディアブロードキャストオーバ単一周波数ネットワークエリアの数の利得関数を使用して計算される、
請求項１５に記載のワイヤレス通信デバイス。
【請求項１７】
前記ネイバーセルランクは、前記ネイバーセルによってアクティブにされている前記マルチメディアブロードキャストオーバ単一周波数ネットワークエリアの数の利得関数を使用して計算される、
請求項１５に記載のワイヤレス通信デバイス。
【請求項１８】
アイドルモードのサービングセルに居座ることと、ネイバーセルを検出することと、前記サービングセルについてのサービングセルランクを計算することと、マルチメディアブロードキャストマルチキャストサービスメトリックに基づいて前記ネイバーセルについてのネイバーセルランクを計算することと、前記サービングセルランクと前記ネイバーセルランクとに基づいてセル再選択を判断することとを行うように構成された回路を備える、
装置。
【請求項１９】
前記ネイバーセルランクが前記サービングセルランクよりも大きい場合、前記ネイバーセルを再選択するように構成された回路をさらに備える、
請求項１８に記載の装置。
【請求項２０】
前記サービングセルランクが前記ネイバーセルランクよりも大きい場合、前記サービングセルに居座り続けるように構成された回路をさらに備える、
請求項１８に記載の装置。
【請求項２１】
前記ネイバーセルランクを計算するように構成された前記回路は、
前記サービングセルを介して１つまたは複数の発展型マルチキャストブロードキャストマルチメディアサービスサービスを受信することと、前記サービングセルのテンポラリモバイルグループ識別情報の数を判断することと、前記ネイバーセルのテンポラリモバイルグループ識別情報の数を判断することと、前記サービングセルの前記テンポラリモバイルグループ識別情報の数と前記ネイバーセルの前記テンポラリモバイルグループ識別情報の数とに基づいて前記ネイバーセルランクを計算することとを行うように構成された回路を備え、前記サービングセルの前記テンポラリモバイルグループ識別情報の数と前記ネイバーセルの前記テンポラリモバイルグループ識別情報の数とは、マルチメディアブロードキャストマルチキャストサービスメトリックである、
請求項１８に記載の装置。
【請求項２２】
前記ネイバーセルランクは、前記サービングセルの前記テンポラリモバイルグループ識別情報の数と前記ネイバーセルの前記テンポラリモバイルグループ識別情報の数との間の差のペナルティ関数を使用して計算される、
請求項２１に記載の装置。
【請求項２３】
前記ネイバーセルランクは、ネイバーセル信号からオフセット値と、前記ペナルティ関数とを引いたものである、
請求項２２に記載の装置。
【請求項２４】
前記ネイバーセルランクを計算するように構成された前記回路は、
前記サービングセルを介して１つまたは複数の発展型マルチキャストブロードキャストマルチメディアサービスサービスを受信することと、前記サービングセルのマルチメディアブロードキャストオーバ単一周波数ネットワークエリアの数を判断することと、前記ネイバーセルのマルチメディアブロードキャストオーバ単一周波数ネットワークエリアの数を判断することと、前記サービングセルの前記マルチメディアブロードキャストオーバ単一周波数ネットワークエリアの数と前記ネイバーセルの前記マルチメディアブロードキャストオーバ単一周波数ネットワークエリアの数とに基づいて前記ネイバーセルランクを計算することとを行うように構成された回路を備え、前記サービングセルの前記マルチメディアブロードキャストオーバ単一周波数ネットワークエリアの数と前記ネイバーセルの前記マルチメディアブロードキャストオーバ単一周波数ネットワークエリアの数とは、マルチメディアブロードキャストマルチキャストサービスメトリックである、
請求項１８に記載の装置。
【請求項２５】
前記ネイバーセルランクは、前記サービングセルの前記マルチメディアブロードキャストオーバ単一周波数ネットワークエリアの数と前記ネイバーセルの前記マルチメディアブロードキャストオーバ単一周波数ネットワークエリアの数との間の差のペナルティ関数を使用して計算される、
請求項２４に記載の装置。
【請求項２６】
前記ネイバーセルランクは、ネイバーセル信号からオフセット値と、前記ペナルティ関数とを引いたものである、
請求項２５に記載の装置。
【請求項２７】
前記装置が発展型マルチキャストブロードキャストマルチメディアサービスを受信することに関心があると判断するように構成された回路をさらに備え、前記サービングセルランクは、マルチメディアブロードキャストマルチキャストサービスメトリックに基づいてさらに計算され、前記サービングセルランクを計算するように構成された前記回路は、
前記サービングセルによってアクティブにされているテンポラリモバイルグループ識別情報の数を判断することと、前記サービングセルによってアクティブにされている前記テンポラリモバイルグループ識別情報の数に基づいて前記サービングセルランクを計算することとを行うように構成された回路を備え、前記ネイバーセルランクを計算するように構成された前記回路は、
前記ネイバーセルによってアクティブにされているテンポラリモバイルグループ識別情報の数を判断することと、前記ネイバーセルによってアクティブにされている前記テンポラリモバイルグループ識別情報の数に基づいて前記ネイバーセルランクを計算することとを行うように構成された回路を備え、前記サービングセルの前記テンポラリモバイルグループ識別情報の数と前記ネイバーセルの前記テンポラリモバイルグループ識別情報の数とは、マルチメディアブロードキャストマルチキャストサービスメトリックである、
請求項１８に記載の装置。
【請求項２８】
前記サービングセルランクは、前記サービングセルによってアクティブにされている前記テンポラリモバイルグループ識別情報の数の利得関数を使用して計算される、
請求項２７に記載の装置。
【請求項２９】
前記サービングセルランクは、サービングセル信号にヒステリシス値と、前記利得関数とを加えたものである、
請求項２８に記載の装置。
【請求項３０】
前記ネイバーセルランクは、前記ネイバーセルによってアクティブにされている前記テンポラリモバイルグループ識別情報の数の利得関数を使用して計算される、
請求項２７に記載の装置。
【請求項３１】
前記ネイバーセルランクは、ネイバーセル信号からオフセット値を引き、前記利得関数を加えたものである、
請求項３０に記載の装置。
【請求項３２】
前記装置が発展型マルチキャストブロードキャストマルチメディアサービスを受信することに関心があると判断するように構成された回路をさらに備え、前記サービングセルランクを計算するように構成された前記回路は、
前記サービングセルによってアクティブにされているマルチメディアブロードキャストオーバ単一周波数ネットワークエリアの数を判断することと、前記サービングセルによってアクティブにされている前記マルチメディアブロードキャストオーバ単一周波数ネットワークエリアの数に基づいて前記サービングセルランクを計算することとを行うように構成された回路を備え、前記ネイバーセルランクを計算するように構成された前記回路は、
前記ネイバーセルによってアクティブにされているマルチメディアブロードキャストオーバ単一周波数ネットワークエリアの数を判断することと、前記ネイバーセルによってアクティブにされている前記マルチメディアブロードキャストオーバ単一周波数ネットワークエリアの数に基づいて前記ネイバーセルランクを計算することとを行うように構成された回路を備える、
請求項１８に記載の装置。
【請求項３３】
前記サービングセルランクは、前記サービングセルによってアクティブにされている前記マルチメディアブロードキャストオーバ単一周波数ネットワークエリアの数の利得関数を使用して計算される、
請求項３２に記載の装置。
【請求項３４】
前記ネイバーセルランクは、前記ネイバーセルによってアクティブにされている前記マルチメディアブロードキャストオーバ単一周波数ネットワークエリアの数の利得関数を使用して計算される、
請求項３２に記載の装置。
【請求項３５】
ワイヤレス通信デバイスによって動作可能な方法であって、
アイドルモードのサービングセルに居座ることと、
ネイバーセルを検出することと、
前記サービングセルについてのサービングセルランクを計算することと、
マルチメディアブロードキャストマルチキャストサービスメトリックに基づいて前記ネイバーセルについてのネイバーセルランクを計算することと、
前記サービングセルランクと前記ネイバーセルランクとに基づいてセル再選択を判断することと
を備える、方法。
【請求項３６】
前記ネイバーセルランクが前記サービングセルランクよりも大きい場合、前記ネイバーセルを再選択することをさらに備える、
請求項３５に記載の方法。
【請求項３７】
前記サービングセルランクが前記ネイバーセルランクよりも大きい場合、前記サービングセルに居座り続けることをさらに備える、
請求項３５に記載の方法。
【請求項３８】
前記ネイバーセルランクを計算することは、
前記サービングセルを介して１つまたは複数の発展型マルチキャストブロードキャストマルチメディアサービスサービスを受信することと、
前記サービングセルのテンポラリモバイルグループ識別情報の数を判断することと、
前記ネイバーセルのテンポラリモバイルグループ識別情報の数を判断することと、
前記サービングセルの前記テンポラリモバイルグループ識別情報の数と前記ネイバーセルの前記テンポラリモバイルグループ識別情報の数とに基づいて前記ネイバーセルランクを計算することと
を備え、前記サービングセルの前記テンポラリモバイルグループ識別情報の数と前記ネイバーセルの前記テンポラリモバイルグループ識別情報の数とは、マルチメディアブロードキャストマルチキャストサービスメトリックである、
請求項３５に記載の方法。
【請求項３９】
前記ネイバーセルランクは、前記サービングセルの前記テンポラリモバイルグループ識別情報の数と前記ネイバーセルの前記テンポラリモバイルグループ識別情報の数との間の差のペナルティ関数を使用して計算される、
請求項３８に記載の方法。
【請求項４０】
前記ネイバーセルランクは、ネイバーセル信号からオフセット値と、前記ペナルティ関数とを引いたものである、
請求項３９に記載の方法。
【請求項４１】
前記ネイバーセルランクを計算することは、
前記サービングセルを介して１つまたは複数の発展型マルチキャストブロードキャストマルチメディアサービスサービスを受信することと、
前記サービングセルのマルチメディアブロードキャストオーバ単一周波数ネットワークエリアの数を判断することと、
前記ネイバーセルのマルチメディアブロードキャストオーバ単一周波数ネットワークエリアの数を判断することと、
前記サービングセルの前記マルチメディアブロードキャストオーバ単一周波数ネットワークエリアの数と前記ネイバーセルの前記マルチメディアブロードキャストオーバ単一周波数ネットワークエリアの数とに基づいて前記ネイバーセルランクを計算することと
を備え、前記サービングセルの前記マルチメディアブロードキャストオーバ単一周波数ネットワークエリアの数と前記ネイバーセルの前記マルチメディアブロードキャストオーバ単一周波数ネットワークエリアの数とは、マルチメディアブロードキャストマルチキャストサービスメトリックである、
請求項３５に記載の方法。
【請求項４２】
前記ネイバーセルランクは、前記サービングセルの前記マルチメディアブロードキャストオーバ単一周波数ネットワークエリアの数と前記ネイバーセルの前記マルチメディアブロードキャストオーバ単一周波数ネットワークエリアの数との間の差のペナルティ関数を使用して計算される、
請求項４１に記載の方法。
【請求項４３】
前記ネイバーセルランクは、ネイバーセル信号からオフセット値と、前記ペナルティ関数とを引いたものである、
請求項４２に記載の方法。
【請求項４４】
前記ワイヤレス通信デバイスが発展型マルチキャストブロードキャストマルチメディアサービスを受信することに関心があると判断することをさらに備え、前記サービングセルランクは、マルチメディアブロードキャストマルチキャストサービスメトリックに基づいてさらに計算され、前記サービングセルランクを計算することは、
前記サービングセルによってアクティブにされているテンポラリモバイルグループ識別情報の数を判断することと、
前記サービングセルによってアクティブにされている前記テンポラリモバイルグループ識別情報の数に基づいて前記サービングセルランクを計算することと
を備え、前記ネイバーセルランクを計算することは、
前記ネイバーセルによってアクティブにされているテンポラリモバイルグループ識別情報の数を判断することと、
前記ネイバーセルによってアクティブにされている前記テンポラリモバイルグループ識別情報の数に基づいて前記ネイバーセルランクを計算することと
を備え、前記サービングセルの前記テンポラリモバイルグループ識別情報の数と前記ネイバーセルの前記テンポラリモバイルグループ識別情報の数とは。マルチメディアブロードキャストマルチキャストサービスメトリックである、
請求項３５に記載の方法。
【請求項４５】
前記サービングセルランクは、前記サービングセルによってアクティブにされている前記テンポラリモバイルグループ識別情報の数の利得関数を使用して計算される、
請求項４４に記載の方法。
【請求項４６】
前記サービングセルランクは、サービングセル信号にヒステリシス値と、前記利得関数とを加えたものである、
請求項４５に記載の方法。
【請求項４７】
前記ネイバーセルランクは、前記ネイバーセルによってアクティブにされている前記テンポラリモバイルグループ識別情報の数の利得関数を使用して計算される、
請求項４４に記載の方法。
【請求項４８】
前記ネイバーセルランクは、ネイバーセル信号からオフセット値を引き、前記利得関数を加えたものである、
請求項４７に記載の方法。
【請求項４９】
前記ワイヤレス通信デバイスが発展型マルチキャストブロードキャストマルチメディアサービスを受信することに関心があると判断することをさらに備え、前記サービングセルランクを計算することは、
前記サービングセルによってアクティブにされているマルチメディアブロードキャストオーバ単一周波数ネットワークエリアの数を判断することと、
前記サービングセルによってアクティブにされている前記マルチメディアブロードキャストオーバ単一周波数ネットワークエリアの数に基づいて前記サービングセルランクを計算することと
を備え、前記ネイバーセルランクを計算することは、
前記ネイバーセルによってアクティブにされているマルチメディアブロードキャストオーバ単一周波数ネットワークエリアの数を判断することと、
前記ネイバーセルによってアクティブにされている前記マルチメディアブロードキャストオーバ単一周波数ネットワークエリアの数に基づいて前記ネイバーセルランクを計算することと
を備える、請求項３５に記載の方法。
【請求項５０】
前記サービングセルランクは、前記サービングセルによってアクティブにされている前記マルチメディアブロードキャストオーバ単一周波数ネットワークエリアの数の利得関数を使用して計算される、
請求項４９に記載の方法。
【請求項５１】
前記ネイバーセルランクは、前記ネイバーセルによってアクティブにされている前記マルチメディアブロードキャストオーバ単一周波数ネットワークエリアの数の利得関数を使用して計算される、
請求項４９に記載の方法。
【請求項５２】
命令をその上に有する非一時的コンピュータ可読媒体を備えるコンピュータプログラム製品であって、前記命令は、
ワイヤレス通信デバイスにアイドルモードのサービングセルに居座らせるためのコードと、
前記ワイヤレス通信デバイスにネイバーセルを検出させるためのコードと、
前記ワイヤレス通信デバイスに前記サービングセルについてのサービングセルランクを計算させるためのコードと、
前記ワイヤレス通信デバイスに、マルチメディアブロードキャストマルチキャストサービスメトリックに基づいて前記ネイバーセルについてのネイバーセルランクを計算させるためのコードと、
前記ワイヤレス通信デバイスに、前記サービングセルランクと前記ネイバーセルランクとに基づいて再選択を判断させるためのコードと
を備える、コンピュータプログラム製品。
【請求項５３】
前記ネイバーセルランクが前記サービングセルランクよりも大きい場合、前記ワイヤレス通信デバイスに前記ネイバーセルを再選択させるためのコードをさらに備える、
請求項５２に記載のコンピュータプログラム製品。
【請求項５４】
前記サービングセルランクが前記ネイバーセルランクよりも大きい場合、前記ワイヤレス通信デバイスに、前記サービングセルに居座り続けさせるためのコードをさらに備える、
請求項５２に記載のコンピュータプログラム製品。
【発明の詳細な説明】
【関連出願】
【０００１】
関連出願の相互参照  
[0001]本出願は、「CELL RESELECTION BASED ON A MULTIMEDIA BROADCAST MULTICAST SERVICE METRIC」と題する２０１２年１月１２日に出願された米国仮特許出願第６１／５８６，００４号に関し、その優先権を主張する。
【技術分野】
【０００２】
[0002]本開示は、一般にワイヤレス通信システムに関する。より詳細には、本開示は、マルチメディアブロードキャストマルチキャストサービス（ＭＢＭＳ：Multimedia Broadcast Multicast Service）メトリックに基づくセル再選択のためのシステムおよび方法に関する。
【背景技術】
【０００３】
[0003]ワイヤレス通信システムは、音声、ビデオ、データなど、様々なタイプの通信コンテンツを提供するために広く展開されている。これらのシステムは、１つまたは複数の基地局との複数のワイヤレス通信デバイスの同時通信をサポートすることが可能な多元接続システムであり得る。
【０００４】
[0004]時々、ワイヤレス通信デバイスは、ワイヤレス通信デバイスがすでに第１の基地局に登録しており、第１の基地局に居座らされた（camped on）とき、（第１の基地局を介して）あるセルを監視することから（第２の基地局を介して）別のセルを監視することに切り替わることになる。これは、セル再選択と呼ばれることがある。新しい技術の導入は、セル再選択プロシージャに対する改善を必要とする。マルチメディアブロードキャストマルチキャストサービス（ＭＢＭＳ）のためのセル再選択プロシージャに対する改善によって、利益が実現され得る。
【図面の簡単な説明】
【０００５】
【図１】ワイヤレス通信システムを示す図。
【図２】マルチメディアブロードキャストオーバ単一周波数ネットワーク（ＭＢＳＦＮ：Multimedia Broadcast over a Single Frequency Network）インフラストラクチャを示す図。
【図３】マルチメディアブロードキャストオーバ単一周波数ネットワーク（ＭＢＳＦＮ）エリアのためのチャネル構造を示す図。
【図４】発展型マルチキャストブロードキャストマルチメディアサービス（ｅＭＢＭＳ：evolved Multicast Broadcast Multimedia Service）セル再選択モジュールを示すブロック図。
【図５】マルチメディアブロードキャストマルチキャストサービス（ＭＢＭＳ）メトリックに基づくセル再選択のための方法のフローチャート。
【図６】潜在的に失われたテンポラリモバイルグループ識別情報（ＴＭＧＩ：Temporary Mobile Group Identity）の数に基づいてネイバーセルランクＲ＿ｎを計算するための方法のフローチャート。
【図７】潜在的に失われたマルチメディアブロードキャストオーバ単一周波数ネットワーク（ＭＢＳＦＮ）エリアの数に基づいてネイバーセルランクＲ＿ｎを計算するための方法のフローチャート。
【図８】ワイヤレス通信デバイスが１つまたは複数の発展型マルチキャストブロードキャストマルチメディアサービス（ｅＭＢＭＳ）サービスを受信しているセル再選択判断の一例を示す図。
【図９】セルによってアクティブにされているテンポラリモバイルグループ識別情報（ＴＭＧＩ）の数に基づいてランクを計算するための方法のフローチャート。
【図１０】セルによってアクティブにされているマルチメディアブロードキャストオーバ単一周波数ネットワーク（ＭＢＳＦＮ）エリアの数に基づいてランクを計算するための方法のフローチャート。
【図１１】ワイヤレス通信デバイスがまだ発展型マルチキャストブロードキャストマルチメディアサービス（ｅＭＢＭＳ）サービスを受信していないセル再選択判断の一例を示す図。
【図１２】ワイヤレス通信デバイス内に含まれ得るいくつかの構成要素を示す図。
【発明を実施するための形態】
【０００６】
[0017]ワイヤレス通信デバイスがアイドルモードのサービングセルに居座り得る。ワイヤレス通信デバイスは１つまたは複数のネイバーセルを検出し得る。どちらのセル（サービングセルまたはネイバーセル）に居座るべきかを判断するために、ワイヤレス通信デバイスは、典型的に各セルについてのランクを計算し、次いでランクを比較し、ワイヤレス通信デバイスが居座るセルとして最も高いランクを選択する。マルチメディアブロードキャストマルチキャストサービス（ＭＢＭＳ）メトリックに基づく各セルについての高度なランクを計算することによって、ワイヤレス通信デバイスは、ワイヤレス通信デバイスが望み得るサービスを考慮するためにセルをより良くランク付けすることが可能であり得る。
【０００７】
[0018]以下の説明では、簡潔性および明暸性の理由で、国際電気通信連合（ＩＴＵ：International Telecommunication Union）によって第３世代パートナーシッププロジェクト（３ＧＰＰ：3rd Generation Partnership Project）の下で公表されたロングタームエボリューション（ＬＴＥ：Long Term Evolution）規格に関連する用語を使用する。本発明は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）などに関係する技術およびその関連規格など、他の技術にも適用可能であることに留意されたい。異なる技術に関連する用語は異なることがある。たとえば、考察する技術に応じて、ワイヤレスデバイスは、ほんのいくつかの例を挙げれば、ユーザ機器、移動局、モバイル端末、加入者ユニット、アクセス端末などと時々呼ばれることがある。同様に、基地局は、アクセスポイント、ノードＢ、進化型ノードＢなどと時々呼ばれることがある。適用可能なとき、異なる用語が異なる技術に適用されることに留意されたい。
【０００８】
[0019]図１に、ワイヤレス通信システム１００を示す。ワイヤレス通信システム１００は、音声、データなど、様々なタイプの通信コンテンツを提供するために広く展開されている。ワイヤレス通信システム１００は複数のワイヤレスデバイスを含み得る。ワイヤレスデバイスは、基地局またはワイヤレス通信デバイス１０４であり得る。ワイヤレス通信デバイス１０４は、テンポラリモバイルグループ識別情報（ＴＭＧＩ）の数またはマルチメディアブロードキャストオーバ単一周波数ネットワーク（ＭＢＳＦＮ）エリアの数など、発展型マルチメディアブロードキャストマルチキャストサービス（ｅＭＢＭＳ）メトリックに基づいて、再選択プロシージャを実行するように構成され得る。
【０００９】
[0020]基地局は、１つまたは複数のワイヤレス通信デバイス１０４と通信する局である。基地局は、アクセスポイント、ブロードキャスト送信機、ノードＢ、進化型ノードＢなどとも呼ばれることがあり、それらの機能の一部または全部を含み得る。本明細書では「基地局」という用語を使用する。各基地局は、特定の地理的エリアに通信カバレージを与える。基地局は、１つまたは複数のワイヤレス通信デバイス１０４に通信カバレージを与え得る。「セル」という用語は、その用語が使用されるコンテキストに応じて、基地局および／またはそれのカバレージエリアを指すことができる。ワイヤレス通信システム１００は、サービングセル１０２と少なくとも１つのネイバーセル１０６とを含み得る。サービングセル１０２は１つまたは複数の基地局を含み得る。各ネイバーセル１０６も１つまたは複数の基地局を含み得る。
【００１０】
[0021]ワイヤレスシステム（たとえば、多元接続システム）における通信は、ワイヤレスリンクを介した送信によって達成され得る。そのような通信リンクは、単入力単出力（ＳＩＳＯ）、多入力単出力（ＭＩＳＯ）または多入力多出力（ＭＩＭＯ）システムを介して確立され得る。ＭＩＭＯシステムは、それぞれ、データ伝送のための複数（ＮT）個の送信アンテナと複数（ＮR）個の受信アンテナとを装備した、（１つまたは複数の）送信機と（１つまたは複数の）受信機とを含む。ＳＩＳＯシステムおよびＭＩＳＯシステムは、ＭＩＭＯシステムの特定の例である。複数の送信アンテナおよび受信アンテナによって生成された追加の次元数が利用された場合、ＭＩＭＯシステムは、改善されたパフォーマンス（たとえば、より高いスループット、より大きい容量、または改善された信頼性）を与えることができる。
【００１１】
[0022]ワイヤレス通信システム１００はＭＩＭＯを利用し得る。ＭＩＭＯシステムは、時分割複信（ＴＤＤ）システムと周波数分割複信（ＦＤＤ）システムの両方をサポートし得る。ＴＤＤシステムでは、アップリンク送信とダウンリンク送信とが同じ周波数領域中で行われるので、相反原理によりアップリンクチャネルからのダウンリンクチャネルの推定が可能である。これにより、送信ワイヤレスデバイスは、その送信ワイヤレスデバイスが受信した通信から送信ビームフォーミング利得を抽出することが可能になる。
【００１２】
[0023]ワイヤレス通信システム１００は、利用可能なシステムリソース（たとえば、帯域幅および送信電力）を共有することによって複数のワイヤレス通信デバイス１０４との通信をサポートすることが可能な多元接続システムであり得る。そのような多元接続システムの例には、符号分割多元接続（ＣＤＭＡ）システム、広帯域符号分割多元接続（Ｗ−ＣＤＭＡ）（登録商標）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、第３世代パートナーシッププロジェクト（３ＧＰＰ）ロングタームエボリューション（ＬＴＥ）システム、および空間分割多元接続（ＳＤＭＡ）システムがある。
【００１３】
[0024]「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、Ｗ−ＣＤＭＡと低チップレート（ＬＣＲ）とを含み、ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ＩＥＥＥ８０２．１１、ＩＥＥＥ８０２．１６、ＩＥＥＥ８０２．２０、Ｆｌａｓｈ−ＯＦＤＭなどの無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびロングタームエボリューション（ＬＴＥ）は、「第３世代パートナーシッププロジェクト」（３ＧＰＰ）と称する団体からの文書に記載されている。ｃｄｍａ２０００は、「第３世代パートナーシッププロジェクト２」（３ＧＰＰ２：3rd Generation Partnership Project 2）と称する団体からの文書に記載されている。
【００１４】
[0025]第３世代パートナーシッププロジェクト（３ＧＰＰ）は、グローバルに適用可能な第３世代（３Ｇ）モバイルフォン仕様を定義することを目的とする電気通信協会のグループ間のコラボレーションである。３ＧＰＰロングタームエボリューション（ＬＴＥ）は、ユニバーサルモバイル電気通信システム（ＵＭＴＳ：Universal Mobile Telecommunications System）モバイルフォン規格を改善することを目的とした３ＧＰＰプロジェクトである。３ＧＰＰは、次世代のモバイルネットワーク、モバイルシステムおよびモバイルデバイスのための仕様を定義し得る。
【００１５】
[0026]３ＧＰＰロングタームエボリューション（ＬＴＥ）では、ワイヤレス通信デバイス１０４は「ユーザ機器」（ＵＥ）と呼ばれることがある。ワイヤレス通信デバイス１０４は、端末、アクセス端末、加入者ユニット、局などと呼ばれることもあり、それらの機能の一部または全部を含み得る。ワイヤレス通信デバイス１０４は、セルラーフォン、携帯情報端末（ＰＤＡ）、ワイヤレスデバイス、ワイヤレスモデム、ハンドヘルドデバイス、ラップトップコンピュータなどであり得る。
【００１６】
[0027]ワイヤレス通信デバイス１０４は、所与の瞬間において、ダウンリンク１１０ａ〜ｂおよび／またはアップリンク１０８ａ〜ｂ上で０、１つ、または複数の基地局と通信し得る。ダウンリンク１１０（または順方向リンク）は、（基地局を介した）セルからワイヤレス通信デバイス１０４への通信リンクを指し、アップリンク１０８（または逆方向リンク）は、（基地局を介した）ワイヤレス通信デバイス１０４からセルへの通信リンクを指す。
【００１７】
[0028]ロングタームエボリューション（ＬＴＥ）リリース９は、マルチメディアブロードキャストオーバ単一周波数ネットワーク（ＭＢＳＦＮ）インフラストラクチャを使用して、ロングタームエボリューション（ＬＴＥ）エアインターフェースにおいて発展型マルチキャストブロードキャストマルチメディアサービス（ｅＭＢＭＳ）のためのサポートを提供する。マルチメディアブロードキャストオーバ単一周波数ネットワーク（ＭＢＳＦＮ）インフラストラクチャについては、図２に関して以下でさらに詳細に説明する。ワイヤレス通信デバイス１０４は、ワイヤレス通信デバイス１０４がマルチメディアブロードキャストオーバ単一周波数ネットワーク（ＭＢＳＦＮ）インフラストラクチャにおいてセル再選択プロシージャを実行することを可能にする発展型マルチキャストブロードキャストマルチメディアサービス（ｅＭＢＭＳ）セル再選択モジュール１１２を含み得る。発展型マルチキャストブロードキャストマルチメディアサービス（ｅＭＢＭＳ）セル再選択モジュール１１２は、発展型マルチキャストブロードキャストマルチメディアサービス（ｅＭＢＭＳ）メトリックに基づいてセル再選択プロシージャを実行する。発展型マルチキャストブロードキャストマルチメディアサービス（ｅＭＢＭＳ）セル再選択モジュール１１２については、図４に関して以下でさらに詳細に説明する。
【００１８】
[0029]ワイヤレス通信デバイス１０４は、ワイヤレス通信デバイス１０４がユニキャストサービスのアイドルモード（すなわち、ＲＲＣ＿ＩＤＬＥ）にあるとき、サービングセル１０２からネイバーセル１０６に再選択するためにセル再選択を実行する必要があり得る。周波数内セル再選択をサポートするために、ワイヤレス通信デバイス１０４は、典型的に、（Ｑ＿ｓによって示される）サービングセル１０２の信号と（Ｑ＿ｎによって示される）ネイバーセル１０６の信号とを測定する。ワイヤレス通信デバイス１０４は、次いで、式（１）を使用してサービングセル１０２についてのランク（Ｒ＿ｓ）を計算し、式（２）を使用してネイバーセル１０６についてのランク（Ｒ＿ｎ）を計算し得る。  
Ｒ＿ｓ＝Ｑ＿ｓ＋Ｑ＿ｈｙｓ                                （１）  
Ｒ＿ｎ＝Ｑ＿ｎ−Ｑ＿ｏｆｆｓｅｔ                          （２）
【００１９】
[0030]式（１）において、Ｑ＿ｈｙｓは、セル再選択が行われる頻度を調整するためにサービングセルランク（Ｒ＿ｓ）に加算されるヒステリシス値である。同様に、式（２）において、Ｑ＿ｏｆｆｓｅｔは、セル再選択が行われる頻度を調整するためにネイバーセルランク（Ｒ＿ｎ）から減算されるオフセット値である。ワイヤレス通信デバイス１０４が、サービングセル１０２よりも高いランクをもつネイバーセル１０６を発見した場合、ワイヤレス通信デバイス１０４は、（３ＧＰＰ  ＴＳ  ３６．３０４において定義されているように）ネイバーセル１０６を再選択し得る。
【００２０】
[0031]しかしながら、式（１）および式（２）のセル再選択アルゴリズムは、ワイヤレス通信デバイス１０４が発展型マルチキャストブロードキャストマルチメディアサービス（ｅＭＢＭＳ）サービスを受信しているとき、十分でない。たとえば、ワイヤレス通信デバイス１０４は、最も高いランクをもつネイバーセル１０６が、ワイヤレス通信デバイス１０４によって現在使用されている発展型マルチキャストブロードキャストマルチメディアサービス（ｅＭＢＭＳ）サービスのいずれも提供しないにもかかわらず、ネイバーセル１０６へのセル再選択を実行し、それにより、ユーザエクスペリエンスが悪くなり得る。発展型マルチキャストブロードキャストマルチメディアサービス（ｅＭＢＭＳ）セル再選択モジュール１１２は、ワイヤレス通信デバイス１０４がセル再選択を実行すべきかどうかを判断するときに発展型マルチキャストブロードキャストマルチメディアサービス（ｅＭＢＭＳ）サービスを考慮することを可能にする。
【００２１】
[0032]図２に、マルチメディアブロードキャストオーバ単一周波数ネットワーク（ＭＢＳＦＮ）インフラストラクチャを示す。マルチメディアブロードキャストオーバ単一周波数ネットワーク（ＭＢＳＦＮ）インフラストラクチャは、発展型マルチキャストブロードキャストマルチメディアサービス（ｅＭＢＭＳ）サービスをもつエリアであるマルチメディアブロードキャストマルチキャストサービス（ＭＢＭＳ）サービスエリア２１４を含み得る。マルチメディアブロードキャストマルチキャストサービス（ＭＢＭＳ）サービスエリア２１４は、１つまたは複数のマルチメディアブロードキャストオーバ単一周波数ネットワーク（ＭＢＳＦＮ）エリア２１６ａ〜ｃに分割され得る。各マルチメディアブロードキャストオーバ単一周波数ネットワーク（ＭＢＳＦＮ）エリア２１６は、同じ発展型マルチキャストブロードキャストマルチメディアサービス（ｅＭＢＭＳ）コンテンツを同期的に送信することができる複数の基地局（たとえば、ｅＮＢ）を含み得る。各マルチメディアブロードキャストオーバ単一周波数ネットワーク（ＭＢＳＦＮ）エリア２１６は、開催地（venue）、地域コンテンツ（regional contents）および国家コンテンツ（national contents）をブロードキャストするために使用され得る。１つのロングタームエボリューション（ＬＴＥ）セルは、最大８つのマルチメディアブロードキャストオーバ単一周波数ネットワーク（ＭＢＳＦＮ）エリア２１６をサポートすることができる。ベニュー内ブロードキャスト（in-venue broadcast）の場合、マルチメディアブロードキャストオーバ単一周波数ネットワーク（ＭＢＳＦＮ）エリア２１６のサイズは、１つのセルと同じくらい小さいか、または数百個のセルと同じくらい大きいことがある。
【００２２】
[0033]各マルチメディアブロードキャストオーバ単一周波数ネットワーク（ＭＢＳＦＮ）エリア２１６の基地局は、マルチキャストトラフィックチャネル（ＭＴＣＨ：Multicast Traffic Channel）とマルチキャスト制御チャネル（ＭＣＣＨ：Multicast Control Channel）とを同時に送信し得る。したがって、ワイヤレス通信デバイス１０４は、（ソフトハンドオフと同様に）異なる基地局からブロードキャストされた信号を合成し得る。
【００２３】
[0034]図３に、マルチメディアブロードキャストオーバ単一周波数ネットワーク（ＭＢＳＦＮ）エリア３１６のためのチャネル構造を示す。マルチメディアブロードキャストオーバ単一周波数ネットワーク（ＭＢＳＦＮ）エリア３１６は、最高１５個の物理マルチキャストチャネル（ＰＭＣＨ：Physical Multicast Channel）３１８ａ〜ｎを含み得る。各物理マルチキャストチャネル（ＰＭＣＨ）３１８はマルチキャストチャネル（ＭＣＨ：Multicast Channel）３２０ａ〜ｃトランスポートチャネルに対応する。各マルチキャストチャネル（ＭＣＨ）３２０は、最高２９個のマルチキャストトラフィックチャネル（ＭＴＣＨ）３２４ａ〜ｆ論理チャネルを多重化し得る。各マルチメディアブロードキャストオーバ単一周波数ネットワーク（ＭＢＳＦＮ）エリア３１６は１つのマルチキャスト制御チャネル（ＭＣＣＨ）３２２論理チャネルを含み、マルチキャスト制御チャネル（ＭＣＣＨ）３２２論理チャネルは、マルチキャストトラフィックチャネル（ＭＴＣＨ）３２４と多重化され、物理マルチキャストチャネル（ＰＭＣＨ）３１８に関連するマルチキャストチャネル（ＭＣＨ）３２０になる。たとえば、マルチキャスト制御チャネル（ＭＣＣＨ）３２２は、単一のマルチメディアブロードキャストオーバ単一周波数ネットワーク（ＭＢＳＦＮ）エリア３１６について、物理マルチキャストチャネル（ＰＭＣＨ）（０）３１８ａにおけるマルチキャストチャネル（ＭＣＨ）３２０ａにおいてマルチキャストトラフィックチャネル（ＭＴＣＨ）（１）の代わりに多重化され得る。
【００２４】
[0035]マルチキャストトラフィックチャネル（ＭＴＣＨ）３２４を収集するために、ワイヤレス通信デバイス１０４は、発展型マルチキャストブロードキャストマルチメディアサービス（ｅＭＢＭＳ）のユーザサービス記述のセッション記述を受信する必要があり、そのセッション記述中で、関係する発展型マルチキャストブロードキャストマルチメディアサービス（ｅＭＢＭＳ）サービスのテンポラリモバイルグループ識別情報（ＴＭＧＩ）および随意のセッションＩＤ、ならびに発展型マルチキャストブロードキャストマルチメディアサービス（ｅＭＢＭＳ）サービスの開始時間が規定されている。ワイヤレス通信デバイス１０４は、発展型マルチキャストブロードキャストマルチメディアサービス（ｅＭＢＭＳ）サービスの利用可能性と、対応するアクセス層構成とを発見するためにロングタームエボリューション（ＬＴＥ）セルに居座り得る。
【００２５】
[0036]ワイヤレス通信デバイス１０４は、最初にＳＩＢ１３（ＳｙｓｔｅｍＩｎｆｏｒｍａｔｉｏｎＢｌｏｃｋＴｙｐｅ１３）を収集し得る。ＳＩＢ１３は、セルによってサポートされる各マルチメディアブロードキャストオーバ単一周波数ネットワーク（ＭＢＳＦＮ）エリア３１６のマルチメディアブロードキャストオーバ単一周波数ネットワーク（ＭＢＳＦＮ）エリアＩＤを示し得る。ＳＩＢ１３はまた、マルチメディアブロードキャストオーバ単一周波数ネットワーク（ＭＢＳＦＮ）エリア３１６のマルチキャスト制御チャネル（ＭＣＣＨ）３２２を収集するために使用され得る情報を示し得る。この情報は、マルチキャスト制御チャネル（ＭＣＣＨ）反復期間（３２個、６４個、．．．、２５６個のフレーム）と、マルチキャスト制御チャネル（ＭＣＣＨ）オフセット（０、１個、．．．、１０個のフレーム）と、マルチキャスト制御チャネル（ＭＣＣＨ）変更期間（５１２個または１０２４個のフレーム）と、シグナリング変調およびコーディング方式（ＭＣＳ）と、ｓｆ−ＡｌｌｏｃＩｎｆｏとを含み得、ｓｆ−ＡｌｌｏｃＩｎｆｏは、反復期間とオフセットとによって示される無線フレームのどのサブフレームがマルチキャスト制御チャネル（ＭＣＣＨ）３２２を送信することができるかを示す。
【００２６】
[0037]ＳＩＢ１３はまた、通知構成を示し得る。通知構成は、通知インジケータと、通知反復係数と、通知オフセットと、通知サブフレームとを含み得る。通知インジケータは、新しいセッションが追加されたとき、マルチキャスト制御チャネル（ＭＣＣＨ）３２２情報が各マルチメディアブロードキャストオーバ単一周波数ネットワーク（ＭＢＳＦＮ）エリア３１６について変化することを示す、物理ダウンリンク制御チャネル（ＰＤＣＣＨ）ダウンリンク制御情報（ＤＣＩ）フォーマット１Ｃ中のビットインデックスであり得る。通知期間は、通知反復係数（たとえば、２または４）によって分割された、すべてのマルチメディアブロードキャストオーバ単一周波数ネットワーク（ＭＢＳＦＮ）エリア３１６の最小変更期間である。通知オフセットは、通知のフレーム中のオフセット（たとえば、０〜１０個のフレーム）を示し得る。通知サブフレームは、通知を送るために使用される無線フレーム中のサブフレームである。
【００２７】
[0038]ワイヤレス通信デバイス１０４は、次いで、マルチキャスト制御チャネル（ＭＣＣＨ）３２２上でＭＢＳＦＮＡｒｅａＣｏｎｆｉｇｕｒａｔｉｏｎメッセージを収集し得る。ＭＢＳＦＮＡｒｅａＣｏｎｆｉｇｕｒａｔｉｏｎメッセージは、物理マルチキャストチャネル（ＰＭＣＨ）３１８内の論理チャネルＩＤ（ＬＣＩＤ：logical channel ID）によって識別される、各マルチキャストトラフィックチャネル（ＭＴＣＨ）３２４のテンポラリモバイルグループ識別情報（ＴＭＧＩ）と随意のセッションＩＤとを示し得る。ＭＢＳＦＮＡｒｅａＣｏｎｆｉｇｕｒａｔｉｏｎメッセージはまた、マルチメディアブロードキャストオーバ単一周波数ネットワーク（ＭＢＳＦＮ）エリア３１６の各物理マルチキャストチャネル（ＰＭＣＨ）３１８を送信するための割り振られたリソース（たとえば、無線フレームおよびサブフレーム）と、マルチメディアブロードキャストオーバ単一周波数ネットワーク（ＭＢＳＦＮ）エリア３１６中のすべての物理マルチキャストチャネル（ＰＭＣＨ）３１８のための割り振られたリソースの割振り期間（たとえば、４個、８個、．．．、２５６個のフレーム）とを示し得る。ＭＢＳＦＮＡｒｅａＣｏｎｆｉｇｕｒａｔｉｏｎは、マルチキャストチャネル（ＭＣＨ）スケジューリング情報（ＭＳＩ：ＭＣＨ scheduling information）メディアアクセス制御（ＭＡＣ：media access control）制御要素が送信されるマルチキャストチャネル（ＭＣＨ）スケジューリング期間（ＭＳＰ：ＭＣＨ scheduling period）をさらに含み得る。マルチキャストチャネル（ＭＣＨ）スケジューリング期間（ＭＳＰ）は、８個、１６個、３２個、．．．、または１０２４個の無線フレームであり得る。言い換えれば、マルチキャストチャネル（ＭＣＨ）スケジューリング情報（ＭＳＩ）ＭＡＣ制御要素は、マルチキャストチャネル（ＭＣＨ）スケジューリング期間（ＭＳＰ）ごとに１回送られる。
【００２８】
[0039]図４は、発展型マルチキャストブロードキャストマルチメディアサービス（ｅＭＢＭＳ）セル再選択モジュール４１２を示すブロック図である。図４の発展型マルチキャストブロードキャストマルチメディアサービス（ｅＭＢＭＳ）セル再選択モジュール４１２は、図１の発展型マルチキャストブロードキャストマルチメディアサービス（ｅＭＢＭＳ）セル再選択モジュール１１２の一構成であり得る。ワイヤレス通信デバイス１０４は、（ワイヤレス通信デバイス１０４が発展型マルチキャストブロードキャストマルチメディアサービス（ｅＭＢＭＳ）サービスを使用しているとき）ネイバーセル１０６が発見されるたびに、発展型マルチキャストブロードキャストマルチメディアサービス（ｅＭＢＭＳ）セル再選択モジュール４１２を使用し得る。
【００２９】
[0040]発展型マルチキャストブロードキャストマルチメディアサービス（ｅＭＢＭＳ）セル再選択モジュール４１２は、サービングセル信号Ｑ＿ｓ４２６を含み得る。上記で説明したように、サービングセル信号Ｑ＿ｓ４２６は、サービングセル１０２から受信した信号の測定値である。発展型マルチキャストブロードキャストマルチメディアサービス（ｅＭＢＭＳ）セル再選択モジュール４１２はまた、ネイバーセル信号Ｑ＿ｎ４２８を含み得る。上記で説明したように、ネイバーセル信号Ｑ＿ｎ４２８は、ネイバーセル１０６から受信した信号の測定値である。したがって、発展型マルチキャストブロードキャストマルチメディアサービス（ｅＭＢＭＳ）セル再選択モジュール４１２は、複数のネイバーセル１０６に対応する複数のネイバーセル信号Ｑ＿ｎ４２８を含み得る。
【００３０】
[0041]発展型マルチキャストブロードキャストマルチメディアサービス（ｅＭＢＭＳ）セル再選択モジュール４１２はランキングモジュール４４２を含み得る。ランキングモジュール４４２は、そのそれぞれが発展型マルチキャストブロードキャストマルチメディアサービス（ｅＭＢＭＳ）サービスを考慮に入れるサービングセルランクＲ＿ｓ４３０とネイバーセルランクＲ＿ｎ４３２とを計算し得る。発展型マルチキャストブロードキャストマルチメディアサービス（ｅＭＢＭＳ）セル再選択モジュール４１２は、次いで、セル再選択プロシージャを実行すべきかどうかを判断するために、サービングセルランクＲ＿ｓ４３０とネイバーセルランクＲ＿ｎ４３２とを比較し得る。
【００３１】
[0042]ランキングモジュール４４２はヒステリシス値Ｑ＿ｈｙｓ４４４とオフセット値Ｑ＿ｏｆｆｓｅｔ４４６とを含み得る。ヒステリシス値Ｑ＿ｈｙｓ４４４およびオフセット値Ｑ＿ｏｆｆｓｅｔ４４６は、サービングセル１０２とネイバーセル１０６との間の迅速なセル再選択プロシージャを回避するために、および／またはセル再選択のレートを制御するために、発展型マルチキャストブロードキャストマルチメディアサービス（ｅＭＢＭＳ）セル再選択モジュール４１２によって使用され得る。
【００３２】
[0043]ネイバーセル１０６の信号品質を測定することに加えて、ワイヤレス通信デバイス１０４は、ワイヤレス通信デバイス１０４がネイバーセル１０６を再選択する場合、（現在使用されている）失われた発展型マルチキャストブロードキャストマルチメディアサービス（ｅＭＢＭＳ）チャネルの数を検査し得る。（ネイバーセル１０６を再選択することによって）より多くの発展型マルチキャストブロードキャストマルチメディアサービス（ｅＭＢＭＳ）チャネルが失われるほど、セル再選択のための優先度は低くなる。失われた発展型マルチキャストブロードキャストマルチメディアサービス（ｅＭＢＭＳ）チャネルの数は、（サービングセル１０２からネイバーセル１０６への再選択を仮定すると）テンポラリモバイルグループ識別情報（ＴＭＧＩ）Ａ４３４のサービングセル数とテンポラリモバイルグループ識別情報（ＴＭＧＩ）Ｂ４３６のネイバーセル数との間の差であり得る。たとえば、ワイヤレス通信デバイス１０４は、テンポラリモバイルグループ識別情報（ＴＭＧＩ）Ｘ、Ｙ、およびＺに関心があり得る。テンポラリモバイルグループ識別情報（ＴＭＧＩ）Ｘ、Ｙ、およびＺはサービングセル１０２によってアクティブにされ得、テンポラリモバイルグループ識別情報（ＴＭＧＩ）ＸおよびＹはネイバーセル１０６によってアクティブにされ得る。したがって、テンポラリモバイルグループ識別情報（ＴＭＧＩ）のサービングセル数４３４  Ａ＝３であり、テンポラリモバイルグループ識別情報（ＴＭＧＩ）のネイバーセル数４３６  Ｂ＝２である。
【００３３】
[0044]ワイヤレス通信デバイス１０４はまた、マルチメディアブロードキャストオーバ単一周波数ネットワーク（ＭＢＳＦＮ）エリアのサービングセル数Ｃ４３８とマルチメディアブロードキャストオーバ単一周波数ネットワーク（ＭＢＳＦＮ）エリアのネイバーセル数Ｄ４４０とを判断し得る。たとえば、ワイヤレス通信デバイス１０４は、マルチメディアブロードキャストオーバ単一周波数ネットワーク（ＭＢＳＦＮ）エリアＭ、ＮおよびＬに関心があり得る。サービングセル１０２は、マルチメディアブロードキャストオーバ単一周波数ネットワーク（ＭＢＳＦＮ）エリアＭ、ＮおよびＬをアクティブにし得る。ネイバーセル１０６は、マルチメディアブロードキャストオーバ単一周波数ネットワーク（ＭＢＳＦＮ）エリアＭおよびＮをアクティブにし得る。したがって、マルチメディアブロードキャストオーバ単一周波数ネットワーク（ＭＢＳＦＮ）エリアのサービングセル数４３８  Ｃ＝３であり、マルチメディアブロードキャストオーバ単一周波数ネットワーク（ＭＢＳＦＮ）エリアのネイバーセル数４４０  Ｄ＝２である。
【００３４】
[0045]テンポラリモバイルグループ識別情報（ＴＭＧＩ）のサービングセル数Ａ４３４と、テンポラリモバイルグループ識別情報（ＴＭＧＩ）のネイバーセル数Ｂ４３６と、マルチメディアブロードキャストオーバ単一周波数ネットワーク（ＭＢＳＦＮ）エリアのサービングセル数Ｃ４３８と、マルチメディアブロードキャストオーバ単一周波数ネットワーク（ＭＢＳＦＮ）エリアのネイバーセル数Ｄ４４０とは、すべてマルチメディアブロードキャストマルチキャストサービス（ＭＢＭＳ）メトリックと呼ばれ得る。
【００３５】
[0046]ランキングモジュール４４２は、失われた発展型マルチキャストブロードキャストマルチメディアサービス（ｅＭＢＭＳ）チャネルの数にランクを基づかせる第１のペナルティ関数Ｐ４４８を含み得る。第１のペナルティ関数Ｐ４４８は、ネイバーセル１０６が再選択されることになっている（したがって、ネイバーセルランクＲ＿ｎ４３２を低減し得る）場合、失われたテンポラリモバイルグループ識別情報（ＴＭＧＩ）の数の関数であり得る。第１のペナルティ関数Ｐ４４８は、Ｐ（０）＝０の場合、入力の非減少関数であり得る。第１のペナルティ関数Ｐ４４８は、テンポラリモバイルグループ識別情報（ＴＭＧＩ）のサービングセル数Ａ４３４とテンポラリモバイルグループ識別情報（ＴＭＧＩ）のネイバーセル数Ｂ４３６とに依存し得る。たとえば、ネイバーセルランクＲ＿ｎ４３２は、式（２）の代わりに式（３）を使用して計算され得る。  
Ｒ＿ｎ＝Ｑ＿ｎ＋Ｑ＿ｏｆｆｓｅｔ−Ｐ（Ａ−Ｂ）              （３）
【００３６】
[0047]（ワイヤレス通信デバイス１０４によって現在使用されている）失われた発展型マルチキャストブロードキャストマルチメディアサービス（ｅＭＢＭＳ）チャネルの数にセル再選択を基づかせる代わりに、セル再選択は、失われたマルチメディアブロードキャストオーバ単一周波数ネットワーク（ＭＢＳＦＮ）エリア２１６（すなわち、ワイヤレス通信デバイス１０４がサービングセル１０２を介して現在受信しているマルチメディアブロードキャストオーバ単一周波数ネットワーク（ＭＢＳＦＮ）エリアの数Ｃ４３８からネイバーセル１０６が与えるマルチメディアブロードキャストオーバ単一周波数ネットワーク（ＭＢＳＦＮ）エリアの数Ｄ４４０を引いたものである）に基づき得る。ワイヤレス通信デバイス１０４は、ＳＩＢ１３を収集するだけでよい（失われたテンポラリモバイルグループ識別情報（ＴＭＧＩ）の数は、ワイヤレス通信デバイス１０４がすべてのマルチキャスト制御チャネル（ＭＣＣＨ）３２２を収集することを要求する）ので、ランクを判断するためにマルチメディアブロードキャストオーバ単一周波数ネットワーク（ＭＢＳＦＮ）エリア２１６を使用することは（失われたテンポラリモバイルグループ識別情報（ＴＭＧＩ）の数を使用することと比較して）処理遅延を低減し得る。
【００３７】
[0048]ランキングモジュール４４２はまた、失われたマルチメディアブロードキャストオーバ単一周波数ネットワーク（ＭＢＳＦＮ）エリア２１６にランクを基づかせる第２のペナルティ関数Ｐ’４５０を含み得る。第２のペナルティ関数Ｐ’４５０は、ネイバーセル１０６が再選択されることになっている（したがって、ネイバーセルランクＲ＿ｎ４３２を低減し得る）場合、失われたマルチメディアブロードキャストオーバ単一周波数ネットワーク（ＭＢＳＦＮ）エリア２１６の数の関数であり得る。第２のペナルティ関数Ｐ’４５０は、Ｐ’（０）＝０の場合、入力の非減少関数であり得る。第２のペナルティ関数Ｐ’４５０は、マルチメディアブロードキャストオーバ単一周波数ネットワーク（ＭＢＳＦＮ）エリアのサービングセル数Ｃ４３８とマルチメディアブロードキャストオーバ単一周波数ネットワーク（ＭＢＳＦＮ）エリアのネイバーセル数Ｄ４４０とに依存し得る。たとえば、ネイバーセルランクＲ＿ｎ４３２は、式（２）の代わりに式（４）を使用して計算され得る。  
Ｒ＿ｎ＝Ｑ＿ｎ＋Ｑ＿ｏｆｆｓｅｔ−Ｐ’（Ｃ−Ｄ）            （４）
【００３８】
[0049]ランキングが実行されるいくつかの構成では、ワイヤレス通信デバイス１０４は発展型マルチキャストブロードキャストマルチメディアサービス（ｅＭＢＭＳ）サービスを受信し始めていないことがある。たとえば、ワイヤレス通信デバイス１０４は、発展型マルチキャストブロードキャストマルチメディアサービス（ｅＭＢＭＳ）サービスを受信することに関心があり得る。ワイヤレス通信デバイス１０４が発展型マルチキャストブロードキャストマルチメディアサービス（ｅＭＢＭＳ）サービスを受信し始めなかったとき、ランクは、利得関数を使用して計算され得る。セルが有するテンポラリモバイルグループ識別情報（ＴＭＧＩ）またはマルチメディアブロードキャストオーバ単一周波数ネットワーク（ＭＢＳＦＮ）エリア２１６の数が多いほど、そのセルが、ワイヤレス通信デバイス１０４のユーザが関心があるチャネルを搬送することができる可能性が高くなる。
【００３９】
[0050]ランキングモジュール４４２は、第１の利得関数Ｇ４５２を含み得る。第１の利得関数Ｇ４５２は、サービングセル１０２のアクティブテンポラリモバイルグループ識別情報（ＴＭＧＩ）の数（すなわち、テンポラリモバイルグループ識別情報（ＴＭＧＩ）のサービングセル数Ａ４３４）の関数であり得る。第１の利得関数Ｇ４５２は、Ｇ（０）が正入力よりも実質的に低い場合、入力の非減少関数であり得る。一例として、サービングセルランクＲ＿ｓ４３０は、式（１）の代わりに式（５）を使用して計算され得る。  
Ｒ＿ｓ＝Ｑ＿ｓ＋Ｑ＿ｈｙｓ＋Ｇ（Ａ）                      （５）  
【００４０】
[0051]ランキングモジュール４４２はまた、第２の利得関数Ｇ’４５４を含み得る。第２の利得関数Ｇ’４５４は、ネイバーセル１０６のアクティブテンポラリモバイルグループ識別情報（ＴＭＧＩ）の数（すなわち、テンポラリモバイルグループ識別情報（ＴＭＧＩ）のネイバーセル数Ｂ４３６）の関数であり得る。第２の利得関数Ｇ’４５４は、Ｇ’（０）が正入力よりも実質的に低い場合、入力の非減少関数であり得る。一例として、ネイバーセルランクＲ＿ｎ４３２は、式（２）の代わりに式（６）を使用して計算され得る。  
Ｒ＿ｎ＝Ｑ＿ｎ＋Ｑ＿ｏｆｆｓｅｔ＋Ｇ’（Ｂ）                （６）  
【００４１】
[0052]ランキングモジュール４４２は、第３の利得関数Ｇ’’４５６をさらに含み得る。第３の利得関数Ｇ’’４５６は、サービングセル１０２のマルチメディアブロードキャストオーバ単一周波数ネットワーク（ＭＢＳＦＮ）エリア２１６の数（すなわち、マルチメディアブロードキャストオーバ単一周波数ネットワーク（ＭＢＳＦＮ）エリアのサービングセル数Ｃ４３８）の関数であり得る。第３の利得関数Ｇ’’４５６は、Ｇ’’（０）が正入力よりも実質的に低い場合、入力の非減少関数であり得る。一例として、サービングセルランクＲ＿ｓ４３０は、式（１）の代わりに式（７）を使用して計算され得る。  
Ｒ＿ｓ＝Ｑ＿ｓ＋Ｑ＿ｈｙｓ＋Ｇ’’（Ｃ）                    （７）  
【００４２】
[0053]ランキングモジュール４４２はまた、第４の利得関数Ｇ’’’４５８を含み得る。第４の利得関数Ｇ’’’４５８は、ネイバーセル１０６のマルチメディアブロードキャストオーバ単一周波数ネットワーク（ＭＢＳＦＮ）エリア２１６の数（すなわち、マルチメディアブロードキャストオーバ単一周波数ネットワーク（ＭＢＳＦＮ）エリアのネイバーセル数Ｄ４４０）の関数であり得る。第４の利得関数Ｇ’’’４５８は、Ｇ’’’（０）が正入力よりも実質的に低い場合、入力の非減少関数であり得る。一例として、ネイバーセルランクＲ＿ｎ４３２は、式（２）の代わりに式（８）を使用して計算され得る。  
Ｒ＿ｎ＝Ｑ＿ｎ＋Ｑ＿ｏｆｆｓｅｔ＋Ｇ’’’（Ｄ）            （８）  
【００４３】
[0054]このようにして、ランキングモジュール４４２は、ワイヤレス通信デバイス１０４がＲＲＣ＿ＩＤＬＥ状態にあるとき、サービングセル１０２についての更新されたサービングセルランクＲ＿ｓ４３０と、各発見されたネイバーセル１０６についての更新されたネイバーセルランクＲ＿ｎ４３２とを計算し得る。第１のペナルティ関数Ｐ４４８または第２のペナルティ関数Ｐ’４５０のいずれかは、ワイヤレス通信デバイス１０４が１つまたは複数の発展型マルチキャストブロードキャストマルチメディアサービス（ｅＭＢＭＳ）サービスをすでに受信しているとき、ネイバーセルランクＲ＿ｎ４３２を計算するために使用され得る。ワイヤレス通信デバイス１０４が、発展型マルチキャストブロードキャストマルチメディアサービス（ｅＭＢＭＳ）サービスを受信し始めていないが、発展型マルチキャストブロードキャストマルチメディアサービス（ｅＭＢＭＳ）サービスを受信することに関心があるとき、第１の利得関数Ｇ４５２が、サービングセルランクＲ＿ｓ４３０を計算するために使用され得、第２の利得関数Ｇ’４５４が、ネイバーセルランクＲ＿ｎ４３２を計算するために使用され得るか、または第３の利得関数Ｇ’’４５６が、サービングセルランクＲ＿ｓ４３０を計算するために使用され得、第４の利得関数Ｇ’’’４５８が、ネイバーセルランクＲ＿ｎ４３２を計算するために使用され得るかのいずれかである。たとえば、ワイヤレス通信デバイス１０４の発展型マルチキャストブロードキャストマルチメディアサービス（ｅＭＢＭＳ）アプリケーションが起動されており、発展型マルチキャストブロードキャストマルチメディアサービス（ｅＭＢＭＳ）アプリケーションが、ワイヤレス通信デバイス１０４がまだ受信し始めていないいくつかの発展型マルチキャストブロードキャストマルチメディアサービス（ｅＭＢＭＳ）サービスに関係するとき、ワイヤレス通信デバイス１０４は、発展型マルチキャストブロードキャストマルチメディアサービス（ｅＭＢＭＳ）サービスを受信することに関心を持つようになり得る。別の例として、ワイヤレス通信デバイス１０４は、ワイヤレス通信デバイス１０４がすでに受信している発展型マルチキャストブロードキャストマルチメディアサービス（ｅＭＢＭＳ）サービスを受信することに関心があり得る。
【００４４】
[0055]図５は、マルチメディアブロードキャストマルチキャストサービス（ＭＢＭＳ）メトリックに基づくセル再選択のための方法５００のフローチャートである。方法５００はワイヤレス通信デバイス１０４によって実行され得る。ワイヤレス通信デバイス１０４は、５０２において、アイドルモードのサービングセル１０２に居座る。ワイヤレス通信デバイス１０４は、５０４において、１つまたは複数のネイバーセル１０６を検出する。ワイヤレス通信デバイス１０４は、５０６において、サービングセル１０２についてのサービングセルランクＲ＿ｓ４３０を計算する。たとえば、ワイヤレス通信デバイス１０４は、５０６において、上記の式（１）、式（５）または式（７）を使用してサービングセル１０２についてのサービングセルランクＲ＿ｓ４３０を計算する。
【００４５】
[0056]ワイヤレス通信デバイス１０４は、５０８において、ネイバーセル１０６の各々についてのネイバーセルランクＲ＿ｎ４３２を計算する。たとえば、ワイヤレス通信デバイス１０４は、５０８において、上記の式（３）、式（４）、式（６）または式（８）を使用して各ネイバーセル１０６についてのネイバーセルランクＲ＿ｎ４３２を計算する。
【００４６】
[0057]ワイヤレス通信デバイス１０４は、５１０において、ネイバーセル１０６のいずれかのネイバーセルランクＲ＿ｎ４３２がサービングセルランクＲ＿ｓ４３０よりも大きいかどうかを判断する。サービングセルランクＲ＿ｓ４３０がネイバーセル１０６のいずれかのネイバーセルランクＲ＿ｎ４３２よりも大きい場合、ワイヤレス通信デバイス１０４は、５１２において、サービングセル１０２に居座り続ける。ネイバーセル１０６のいずれかのネイバーセルランクＲ＿ｎ４３２がサービングセルランクＲ＿ｓ４３０よりも大きい場合、ワイヤレス通信デバイス１０４は、５１４において、最高のネイバーセルランクＲ＿ｎ４３２をもつネイバーセル１０６を再選択する。
【００４７】
[0058]図６は、潜在的に失われたテンポラリモバイルグループ識別情報（ＴＭＧＩ）の数に基づいてネイバーセルランクＲ＿ｎ４３２を計算するための方法６００のフローチャートである。方法６００はワイヤレス通信デバイス１０４によって実行され得る。方法６００は、５０８においてネイバーセル１０６の各々についてのネイバーセルランクＲ＿ｎ４３２を計算することに対応し得る。ワイヤレス通信デバイス１０４は、６０２において、サービングセル１０２を介して１つまたは複数の発展型マルチキャストブロードキャストマルチメディアサービス（ｅＭＢＭＳ）サービスを受信する。
【００４８】
[0059]ワイヤレス通信デバイス１０４は、６０４において、サービングセル１０２のテンポラリモバイルグループ識別情報（ＴＭＧＩ）の数（すなわち、テンポラリモバイルグループ識別情報（ＴＭＧＩ）のサービングセル数Ａ４３４）を判断する。ワイヤレス通信デバイス１０４はまた、６０６において、検出されたネイバーセル１０６のテンポラリモバイルグループ識別情報（ＴＭＧＩ）の数（すなわち、テンポラリモバイルグループ識別情報（ＴＭＧＩ）のネイバーセル数Ｂ４３６）を判断する。ワイヤレス通信デバイス１０４は、６０８において、テンポラリモバイルグループ識別情報（ＴＭＧＩ）のサービングセル数Ａ４３４とテンポラリモバイルグループ識別情報（ＴＭＧＩ）のネイバーセル数Ｂ４３６とに基づいてネイバーセル１０６についてのネイバーセルランクＲ＿ｎ４３２を計算する。たとえば、ワイヤレス通信デバイス１０４は、ネイバーセルランクＲ＿ｎ４３２を計算するために上記の式（３）を使用し得る。
【００４９】
[0060]図７は、潜在的に失われたマルチメディアブロードキャストオーバ単一周波数ネットワーク（ＭＢＳＦＮ）エリア２１６の数に基づいてネイバーセルランクＲ＿ｎ４３２を計算するための方法７００のフローチャートである。方法７００はワイヤレス通信デバイス１０４によって実行され得る。方法７００は、５０８においてネイバーセル１０６の各々についてのネイバーセルランクＲ＿ｎ４３２を計算することに対応し得る。ワイヤレス通信デバイス１０４は、７０２において、サービングセル１０２を介して１つまたは複数の発展型マルチキャストブロードキャストマルチメディアサービス（ｅＭＢＭＳ）サービスを受信する。
【００５０】
[0061]ワイヤレス通信デバイス１０４は、７０４において、サービングセル１０２のマルチメディアブロードキャストオーバ単一周波数ネットワーク（ＭＢＳＦＮ）エリア２１６の数（すなわち、マルチメディアブロードキャストオーバ単一周波数ネットワーク（ＭＢＳＦＮ）エリアのサービングセル数Ｃ４３８）を判断する。ワイヤレス通信デバイス１０４はまた、７０６において、検出されたネイバーセル１０６のマルチメディアブロードキャストオーバ単一周波数ネットワーク（ＭＢＳＦＮ）エリア２１６の数（すなわち、マルチメディアブロードキャストオーバ単一周波数ネットワーク（ＭＢＳＦＮ）エリアのネイバーセル数Ｄ４４０）を判断する。ワイヤレス通信デバイス１０４は、７０８において、マルチメディアブロードキャストオーバ単一周波数ネットワーク（ＭＢＳＦＮ）エリアのサービングセル数Ｃ４３８とマルチメディアブロードキャストオーバ単一周波数ネットワーク（ＭＢＳＦＮ）エリアのネイバーセル数Ｄ４４０とに基づいてネイバーセル１０６についてのネイバーセルランクＲ＿ｎ４３２を計算する。たとえば、ワイヤレス通信デバイス１０４は、７０８においてネイバーセルランクＲ＿ｎ４３２を計算するために、上記の式（４）を使用し得る。
【００５１】
[0062]図８は、ワイヤレス通信デバイス１０４が１つまたは複数の発展型マルチキャストブロードキャストマルチメディアサービス（ｅＭＢＭＳ）サービスを受信しているセル再選択判断の一例を示す図である。サービングセル８０２と第１のネイバーセル８０６ａと第２のネイバーセル８０６ｂとについてのランクメトリックが、それぞれ示されている。サービングセルランクＲ＿ｓ８３０が、（上記の式（１）を使用して計算されるように）示されている。
【００５２】
[0063]オリジナルの第１のネイバーセルランクＲ＿ｎ１  ８３２ａも、（上記の式（２）を使用して計算されるように）示されている。ペナルティ関数（ＰまたはＰ’）８６２ａは、第１のネイバーセル８０６ａが再選択されることになっている場合、失われたテンポラリモバイルグループ識別情報（ＴＭＧＩ）の数または失われたマルチメディアブロードキャストオーバ単一周波数ネットワーク（ＭＢＳＦＮ）エリア２１６の数による、オリジナルの第１のネイバーセルランクＲ＿ｎ１  ８３２ａに対するペナルティを表す。したがって、更新された第１のネイバーセルランクＲ＿ｎ１  ８３２ｂは、オリジナルの第１のネイバーセルランクＲ＿ｎ１  ８３２ａからペナルティ関数（ＰまたはＰ’）８６２ａを引いたものとして（上記の式（３）または式（４）を使用して計算されるように）示されている。
【００５３】
[0064]オリジナルの第２のネイバーセルランクＲ＿ｎ２  ８３２ｃが、（上記の式（２）を使用して計算されるように）示されている。ペナルティ関数（ＰまたはＰ’）８６２ｂは、第２のネイバーセル８０６ｂが再選択されることになっている場合、失われたテンポラリモバイルグループ識別情報（ＴＭＧＩ）の数または失われたマルチメディアブロードキャストオーバ単一周波数ネットワーク（ＭＢＳＦＮ）エリア２１６の数による、オリジナルの第２のネイバーセルランクＲ＿ｎ２  ８３２ｃに対するペナルティを表す。したがって、更新された第２のネイバーセルランクＲ＿ｎ２  ８３２ｄは、オリジナルの第２のネイバーセルランクＲ＿ｎ２  ８３２ｃからペナルティ関数（ＰまたはＰ’）８６２ｂを引いたものとして（上記の式（３）または式（４）を使用して計算されるように）示されている。
【００５４】
[0065]図８でわかるように、オリジナルの第１のネイバーセルランクＲ＿ｎ１  ８３２ａは、サービングセルランクＲ＿ｓ８３０とオリジナルの第２のネイバーセルランクＲ＿ｎ２  ８３２ｃとよりも大きい。しかしながら、失われたテンポラリモバイルグループ識別情報（ＴＭＧＩ）の数または失われたマルチメディアブロードキャストオーバ単一周波数ネットワーク（ＭＢＳＦＮ）エリア２１６の数が考慮に入れられるとき、更新された第２のネイバーセルランクＲ＿ｎ２  ８３２ｄは、更新された第１のネイバーセルランクＲ＿ｎ１  ８３２ｂとサービングセルランクＲ＿ｓ８３０とよりも大きい。したがって、発展型マルチキャストブロードキャストマルチメディアサービス（ｅＭＢＭＳ）サービスが考慮されるとき、第２のネイバーセル８０６ｂの再選択が選好され得る。
【００５５】
[0066]図９は、セルによってアクティブにされているテンポラリモバイルグループ識別情報（ＴＭＧＩ）の数に基づいてランクを計算するための方法９００のフローチャートである。方法９００はワイヤレス通信デバイス１０４によって実行され得る。方法９００は、５０８においてネイバーセル１０６の各々についてのネイバーセルランクＲ＿ｎ４３２を計算することと、５０６においてサービングセル１０２についてのサービングセルランクＲ＿ｓ４３０を計算することとに対応し得る。
【００５６】
[0067]ワイヤレス通信デバイス１０４は、９０２において、ワイヤレス通信デバイス１０４が発展型マルチキャストブロードキャストマルチメディアサービス（ｅＭＢＭＳ）サービスを受信することに関心があると判断する。ワイヤレス通信デバイス１０４は、９０４において、サービングセル１０２によってアクティブにされているテンポラリモバイルグループ識別情報（ＴＭＧＩ）の数（すなわち、テンポラリモバイルグループ識別情報（ＴＭＧＩ）のサービングセル数Ａ４３４）を判断する。ワイヤレス通信デバイス１０４は、９０６において、サービングセル１０２によってアクティブにされているテンポラリモバイルグループ識別情報（ＴＭＧＩ）の数に基づいてサービングセル１０２についてのサービングセルランクＲ＿ｓ４３０を計算する。たとえば、ワイヤレス通信デバイス１０４は、９０６において、上記の式（５）を使用してサービングセルランクＲ＿ｓ４３０を計算する。
【００５７】
[0068]ワイヤレス通信デバイス１０４はまた、９０８において、ネイバーセル１０６によってアクティブにされているテンポラリモバイルグループ識別情報（ＴＭＧＩ）の数（すなわち、テンポラリモバイルグループ識別情報（ＴＭＧＩ）のネイバーセル数Ｂ４３６）を判断する。ワイヤレス通信デバイス１０４は、９１０において、ネイバーセル１０６によってアクティブにされているテンポラリモバイルグループ識別情報（ＴＭＧＩ）の数に基づいてネイバーセル１０６についてのネイバーセルランクＲ＿ｎ４３２を計算する。たとえば、ワイヤレス通信デバイス１０４は、９１０において、上記の式（６）を使用してネイバーセルランクＲ＿ｎ４３２を計算する。
【００５８】
[0069]図１０は、セルによってアクティブにされているマルチメディアブロードキャストオーバ単一周波数ネットワーク（ＭＢＳＦＮ）エリア２１６の数に基づいてランクを計算するための方法１０００のフローチャートである。方法１０００はワイヤレス通信デバイス１０４によって実行され得る。方法１０００は、５０８においてネイバーセル１０６の各々についてのネイバーセルランクＲ＿ｎ４３２を計算することと、５０６においてサービングセル１０２についてのサービングセルランクＲ＿ｓ４３０を計算することとに対応し得る。
【００５９】
[0070]ワイヤレス通信デバイス１０４は、１００２において、ワイヤレス通信デバイス１０４が発展型マルチキャストブロードキャストマルチメディアサービス（ｅＭＢＭＳ）サービスを受信することに関心があると判断する。ワイヤレス通信デバイス１０４は、１００４において、サービングセル１０２によってアクティブにされているマルチメディアブロードキャストオーバ単一周波数ネットワーク（ＭＢＳＦＮ）エリア２１６の数（すなわち、マルチメディアブロードキャストオーバ単一周波数ネットワーク（ＭＢＳＦＮ）エリアのサービングセル数Ｃ４３８）を判断する。ワイヤレス通信デバイス１０４は、１００６において、サービングセル１０２によってアクティブにされているマルチメディアブロードキャストオーバ単一周波数ネットワーク（ＭＢＳＦＮ）エリア２１６の数に基づいてサービングセル１０２についてのサービングセルランクＲ＿ｓ４３０を計算する。たとえば、ワイヤレス通信デバイス１０４は、１００６において、上記の式（７）を使用してサービングセルランクＲ＿ｓ４３０を計算する。
【００６０】
[0071]ワイヤレス通信デバイス１０４はまた、１００８において、ネイバーセル１０６によってアクティブにされているマルチメディアブロードキャストオーバ単一周波数ネットワーク（ＭＢＳＦＮ）エリア２１６の数（すなわち、マルチメディアブロードキャストオーバ単一周波数ネットワーク（ＭＢＳＦＮ）エリアのネイバーセル数Ｄ４４０）を判断する。ワイヤレス通信デバイス１０４は、１０１０において、ネイバーセル１０６によってアクティブにされているマルチメディアブロードキャストオーバ単一周波数ネットワーク（ＭＢＳＦＮ）エリア２１６の数に基づいてネイバーセル１０６についてのネイバーセルランクＲ＿ｎ４３２を計算する。たとえば、ワイヤレス通信デバイス１０４は、１０１０において、上記の式（８）を使用してネイバーセルランクＲ＿ｎ４３２を計算する。
【００６１】
[0072]図１１は、ワイヤレス通信デバイス１０４がまだ発展型マルチキャストブロードキャストマルチメディアサービス（ｅＭＢＭＳ）サービスを受信していないセル再選択判断の一例を示す図である。サービングセル１１０２と第１のネイバーセル１１０６ａと第２のネイバーセル１１０６ｂとについてのランクメトリックが、それぞれ示されている。上記の式（１）に従って計算されるオリジナルのサービングセルランクＲ＿ｓ１１３０ｂが示されている。サービングセル利得関数（ＧまたはＧ’’）１１４０は、テンポラリモバイルグループ識別情報（ＴＭＧＩ）のサービングセル数Ｃ４３４またはマルチメディアブロードキャストオーバ単一周波数ネットワーク（ＭＢＳＦＮ）エリアのサービングセル数Ｃ４３８のいずれかによる、サービングセルランクＲ＿ｓ１１３０に対する利得を表す。オリジナルのサービングセルランクＲ＿ｓ１１３０ｂおよびサービングセル利得関数（ＧまたはＧ’’）１１４０は、（上記の式（５）または式（７）に従って計算されるように）更新されたサービングセルランクＲ＿ｓ１１３０ａを一緒に形成する。
【００６２】
[0073]オリジナルの第１のネイバーセルランクＲ＿ｎ１  １１３２ｂも、（上記の式（２）を使用して計算されるように）示されている。第１のネイバーセル利得関数（Ｇ’またはＧ’’’）１１７２ａは、テンポラリモバイルグループ識別情報（ＴＭＧＩ）の第１のネイバーセル数４３６またはマルチメディアブロードキャストオーバ単一周波数ネットワーク（ＭＢＳＦＮ）エリアの第１のネイバーセル数Ｄ４４０のいずれかによる、オリジナルの第１のネイバーセルランクＲ＿ｎ１  １１３２ｂに対する利得を表す。オリジナルの第１のネイバーセルランクＲ＿ｎ１  １１３２ｂおよび第１のネイバーセル利得関数（Ｇ’またはＧ’’’）１１７２ａは、（上記の式（６）または式（８）を使用して計算されるように）更新された第１のネイバーセルランクＲ＿ｎ１  １１３２ａを一緒に形成する。
【００６３】
[0074]オリジナルの第２のネイバーセルランクＲ＿ｎ２  １１３２ｄが、（上記の式（２）を使用して計算されるように）示されている。第２のネイバーセル利得関数（Ｇ’またはＧ’’’）１１７２ｂは、テンポラリモバイルグループ識別情報（ＴＭＧＩ）の第２のネイバーセル数４３６またはマルチメディアブロードキャストオーバ単一周波数ネットワーク（ＭＢＳＦＮ）エリアの第２のネイバーセル数Ｄ４４０のいずれかによる、オリジナルの第２のネイバーセルランクＲ＿ｎ２  １１３２ｄに対する利得を表す。オリジナルの第２のネイバーセルランクＲ＿ｎ１  １１３２ｄおよび第２のネイバーセル利得関数（Ｇ’またはＧ’’’）１１７２ｂは、（上記の式（６）または式（８）を使用して計算されるように）更新された第２のネイバーセルランクＲ＿ｎ２  １１３２ｃを一緒に形成する。
【００６４】
[0075]図１１でわかるように、オリジナルの第１のネイバーセルランクＲ＿ｎ１  １１３２ｂは、オリジナルのサービングセルランクＲ＿ｓ１１３０ｂとオリジナルの第２のネイバーセルランクＲ＿ｎ２  １１３２ｄとよりも大きい。しかしながら、テンポラリモバイルグループ識別情報（ＴＭＧＩ）の数またはマルチメディアブロードキャストオーバ単一周波数ネットワーク（ＭＢＳＦＮ）エリア２１６の数が考慮に入れられるとき、更新された第２のネイバーセルランクＲ＿ｎ２  １１３２ｃは、更新された第１のネイバーセルランクＲ＿ｎ１  １１３２ａとサービングセルランクＲ＿ｓ１  １３０ａとよりも大きい。したがって、発展型マルチキャストブロードキャストマルチメディアサービス（ｅＭＢＭＳ）サービスが考慮されるとき、第２のネイバーセル１１０６ｂの再選択が選好され得る。
【００６５】
[0076]図１２に、上記で説明した方式またはプロセスを実行するためのワイヤレス通信デバイス１２７１のハードウェア実装形態の一部を示す。ワイヤレス通信デバイス１２７１は、以下で説明する回路を備える。本明細書および添付の特許請求の範囲では、「回路」という用語は、機能上の用語ではなく構造上の用語として解釈されることが明らかなはずである。たとえば、回路は、図１２に図示および説明する処理および／またはメモリセル、ユニット、ブロックなどの形態の多数の集積回路構成要素など、回路構成要素の集合体であり得る。
【００６６】
[0077]ワイヤレス通信デバイス１２７１は、いくつかの回路を互いにリンクする中央データバス１２８３を含む。回路は、ＣＰＵ（中央処理装置）またはコントローラ１２８５と、受信回路１２８１と、送信回路１２７３と、メモリユニット１２７９とを含む。
【００６７】
[0078]受信回路１２８１および送信回路１２７３は、ＲＦ（無線周波数）回路（図面に図示せず）に接続され得る。受信回路１２８１は、受信信号を処理し、バッファした後、その信号をデータバス１２８３に送る。一方、送信回路１２７３は、データバス１２８３からのデータを処理し、バッファした後、そのデータをワイヤレス通信デバイス１２７１の外側に送る。ＣＰＵ／コントローラ１２８５は、データバス１２８３のデータ管理の機能、さらに、メモリユニット１２７９の命令コンテンツを実行することを含む、一般的なデータ処理の機能を実行する。
【００６８】
[0079]メモリユニット１２７９は、参照番号１２７５によって概略的に示されたモジュールおよび／または命令のセットを含む。この実施形態では、モジュール／命令は、特に、上記で説明した方式およびプロセスを実行するセル再選択機能１２７７を含む。機能１２７７は、図５〜図７および図９〜図１０に図示および説明したプロセスステップを実行するためのコンピュータ命令またはコードを含む。エンティティに特有の特定の命令は、機能１２７７中に選択的に実装され得る。
【００６９】
[0080]この実施形態では、メモリユニット１２７９はＲＡＭ（ランダムアクセスメモリ）回路である。機能１２７７などの例示的な機能は、１つまたは複数のソフトウェアルーチン、モジュールおよび／またはデータセットを含む。メモリユニット１２７９は、揮発性または不揮発性のいずれかであり得る別のメモリ回路（図示せず）に結合され得る。代替として、メモリユニット１２７９は、ＥＥＰＲＯＭ（登録商標）（電気消去可能プログラマブル読取り専用メモリ）、ＥＰＲＯＭ（電気プログラマブル読取り専用メモリ）、ＲＯＭ（読取り専用メモリ）、ＡＳＩＣ（特定用途向け集積回路）、磁気ディスク、光ディスク、および当技術分野でよく知られている他のものなど、他の回路タイプから製造され得る。
【００７０】
[0081]「判断」という用語は、多種多様なアクションを包含し、したがって、「判断」は、計算、算出、処理、導出、調査、探索（たとえば、テーブル、データベースまたは別のデータ構造での探索）、確認などを含むことができる。また、「判断」は、受信（たとえば、情報を受信すること）、アクセス（たとえば、メモリ中のデータにアクセスすること）などを含むことができる。また、「判断」は、解決、選択、選定、確立などを含むことができる。
【００７１】
[0082]「に基づいて」という句は、別段に明示されていない限り、「のみに基づいて」を意味しない。言い換えれば、「に基づいて」という句は、「のみに基づいて」と「に少なくとも基づいて」の両方を表す。
【００７２】
[0083]いかなるクレーム要素も、その要素が「手段」という語句を使用して明確に具陳されていない限り、または方法クレームの場合には、その要素が「ステップ」という語句を使用して具陳されていない限り、米国特許法第１１２条第６項の規定の下で解釈されるべきではない。
【００７３】
[0084]「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理デバイスの組合せ、たとえば、ＤＳＰとマイクロプロセッサとの組合せ、複数のマイクロプロセッサ、ＤＳＰコアと連携する１つまたは複数のマイクロプロセッサ、あるいは他のそのような構成を指すことがある。
【００７４】
[0085]「メモリ」という用語は、電子情報を記憶することが可能な任意の電子的構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタなど、様々なタイプのプロセッサ可読媒体を指すことがある。プロセッサがメモリから情報を読み取り、および／または情報をメモリに書き込むことができる場合、メモリはプロセッサと電子通信していると言われる。プロセッサに一体化されたメモリは、プロセッサと電子通信している。
【００７５】
[0086]「命令」および「コード」という用語は、任意のタイプの（１つまたは複数の）コンピュータ可読ステートメントを含むものと広く解釈されたい。たとえば、「命令」および「コード」という用語は、１つまたは複数のプログラム、ルーチン、サブルーチン、関数、プロシージャなどを指すことがある。「命令」および「コード」は、単一のコンピュータ可読ステートメントまたは多くのコンピュータ可読ステートメントを備え得る。
【００７６】
[0087]本明細書で説明した機能は、ハードウェアによって実行されるソフトウェアまたはファームウェアで実装され得る。機能は、１つまたは複数の命令としてコンピュータ可読媒体上に記憶され得る。「コンピュータ可読媒体」または「コンピュータプログラム製品」という用語は、コンピュータまたはプロセッサによってアクセスされ得る任意の有形記憶媒体を指す。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を含み得る。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。コンピュータ可読媒体は有形で非テンポラリであり得ることに留意されたい。「コンピュータプログラム製品」という用語は、コンピューティングデバイスまたはプロセッサによって実行、処理または計算され得るコードまたは命令（たとえば、「プログラム」）と組み合わせたコンピューティングデバイスまたはプロセッサを指す。本明細書で使用する「コード」という用語は、コンピューティングデバイスまたはプロセッサによって実行可能であるソフトウェア、命令、コードまたはデータを指すことがある。
【００７７】
[0088]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【００７８】
[0089]本明細書で開示した方法は、説明した方法を達成するための１つまたは複数のステップまたはアクションを備える。本方法のステップおよび／またはアクションは、特許請求の範囲から逸脱することなく互いに交換され得る。言い換えれば、本明細書で説明した方法の適切な動作のためにステップまたはアクションの特定の順序が必要とされない限り、特定のステップおよび／またはアクションの順序および／または使用は、特許請求の範囲を逸脱することなく修正され得る。
【００７９】
[0090]さらに、図５〜図７および図９〜図１０によって示されたものなど、本明細書で説明した方法および技法を実行するためのモジュールおよび／または他の適切な手段は、デバイスによってダウンロードされ、および／または他の方法で取得され得ることを諒解されたい。たとえば、デバイスは、本明細書で説明した方法を実行するための手段の転送を可能にするために、サーバに結合され得る。代替的に、本明細書で説明した様々な方法は、記憶手段をデバイスに結合するかまたは与えるときにデバイスが様々な方法を獲得し得るように、記憶手段（たとえば、ランダムアクセスメモリ（ＲＡＭ）、読取り専用メモリ（ＲＯＭ）、コンパクトディスク（disc）（ＣＤ）またはフロッピーディスク（disk）などの物理的記憶媒体など）によって提供され得る。その上、本明細書で説明した方法および技法をデバイスに提供するための任意の他の好適な技法が利用され得る。
【００８０】
[0091]特許請求の範囲は、上記に示した正確な構成および構成要素に限定されないことを理解されたい。特許請求の範囲から逸脱することなく、本明細書で説明するシステム、方法、および装置の構成、動作および詳細において、様々な改変、変更および変形が行われ得る。
【図１】
2015503883.tif 000003
【図２】
2015503883.tif 000004
【図３】
2015503883.tif 000005
【図４】
2015503883.tif 000006
【図５】
2015503883.tif 000007
【図６】
2015503883.tif 000008
【図７】
2015503883.tif 000009
【図８】
2015503883.tif 000010
【図９】
2015503883.tif 000011
【図１０】
2015503883.tif 000012
【図１１】
2015503883.tif 000013
【図１２】
2015503883.tif 000014
【国際調査報告】
2015503883.tif 000015
2015503883.tif 000016
2015503883.tif 000017